(57)【要約】【課題】小型に実現することが容易なスナップボタン型電気コネクタ対を提供する。【解決手段】スナップボタン型プラグコネクタ１００のプラグハウジング１６０は、嵌合方向に隆起した隆起部１３０と、隆起部１３０に形成された係合部１５０とを有する。スナップボタン型リセプタクルコネクタ２００のリセプタクルハウジング２６０は、隆起部１３０を嵌合方向に受け入れる受入部２３０と、受入部２３０に形成され、係合部１５０に引っ掛かることにより、隆起部１３０の受入部２３０からの抜けを抑制する被係合部２５０とを有する。隆起部１３０と受入部２３０の各々は、受入部２３０に隆起部１３０が受け入れられたときに、両部１３０及び２３０によってスナップボタン型プラグコネクタ１００とスナップボタン型リセプタクルコネクタ２００との周方向の相対的な回転が阻止される形状を有する。【選択図】図２
2019121515.tif 000002
【特許請求の範囲】
【請求項１】
第１スナップボタン型電気コネクタと、前記第１スナップボタン型電気コネクタと嵌合する第２スナップボタン型電気コネクタと、を備え、
前記第１スナップボタン型電気コネクタが、
前記第１スナップボタン型電気コネクタと前記第２スナップボタン型電気コネクタとが嵌合する嵌合方向に隆起した隆起部と、前記隆起部に形成され、前記嵌合方向と直交する方向に延在する係合部と、を有する絶縁性の第１ハウジングと、
前記嵌合方向に延びる仮想嵌合軸まわりの周方向に互いに絶縁された状態で、前記第１ハウジングに保持された導電性の複数の第１コンタクトと、を有し、
前記第２スナップボタン型電気コネクタが、
前記隆起部を前記嵌合方向に受け入れる受入部と、前記受入部に形成され、前記受入部に前記隆起部が受け入れられたときに、前記係合部に引っ掛かることにより、前記係合部との間の摩擦力よって、前記隆起部の前記受入部からの抜けを抑制する被係合部と、を有する絶縁性の第２ハウジングと、
前記周方向に互いに絶縁された状態で前記第２ハウジングに保持され、前記受入部に前記隆起部が受け入れられたときに、複数の前記第１コンタクトと電気的に接触する導電性の複数の第２コンタクトと、を有し、
前記隆起部と前記受入部の各々が、前記受入部に前記隆起部が受け入れられたときに、両部によって前記第１スナップボタン型電気コネクタと前記第２スナップボタン型電気コネクタとの前記周方向の相対的な回転が阻止される形状を有する、
スナップボタン型電気コネクタ対。
【請求項２】
前記隆起部と前記受入部との一方に、前記嵌合方向と直交する方向に突出して前記嵌合方向に延在する突条が形成され、他方には、前記嵌合方向に延在し、前記突条が前記嵌合方向にスライド可能に嵌る溝条が形成されており、
前記突条が前記溝条に嵌ることにより、前記第１スナップボタン型電気コネクタと前記第２スナップボタン型電気コネクタとの前記周方向の相対的な回転が阻止される、
請求項１に記載のスナップボタン型電気コネクタ対。
【請求項３】
前記隆起部が、前記嵌合方向に平行な平面視で略多角形状の外形を有し、前記受入部が、前記隆起部と嵌合する形状を有することにより、前記第１スナップボタン型電気コネクタと前記第２スナップボタン型電気コネクタとの前記周方向の相対的な回転が阻止される、
請求項１に記載のスナップボタン型電気コネクタ対。
【請求項４】
前記第１ハウジングと前記第２ハウジングとの各々が、前記嵌合方向に平行な平面視で、略多角形状の外形を有しており、
前記第１ハウジングの前記外形の角部と、前記第２ハウジングの前記外形の角部とが、前記周方向に揃っているときに、前記受入部への前記隆起部の受け入れが可能となる、
請求項１から３のいずれか一項に記載のスナップボタン型電気コネクタ対。
【請求項５】
複数の前記第１コンタクトが互いに等しい形状を有すると共に、複数の前記第２コンタクトが互いに等しい形状を有する、
請求項１から４のいずれか一項に記載のスナップボタン型電気コネクタ対。
【請求項６】
複数の前記第１コンタクトの各々が、
前記第２コンタクトと電気的に接触する部分以外の部分において、前記第１ハウジングから露出し、前記第１スナップボタン型電気コネクタが取り付けられる第１被取付体に対して、導電性の線状材で縫い付けることができる形状を有する第１取付部を有し、
複数の前記第２コンタクトの各々が、
前記第１コンタクトと電気的に接触する部分以外の部分において、前記第２ハウジングから露出し、前記第２スナップボタン型電気コネクタが取り付けられる第２被取付体に対して、導電性の線状材で縫い付けることができる形状を有する第２取付部を有する、
請求項１から５のいずれか一項に記載のスナップボタン型電気コネクタ対。
【発明の詳細な説明】
【技術分野】
【０００１】
本発明は、スナップボタン型電気コネクタ対に関する。
【背景技術】
【０００２】
特許文献１に開示されるように、それぞれ導電性を有する布に取り付けられる雄型コネクタ部と雌型コネクタ部とを備えるスナップボタン型電気コネクタ対が知られている。雄型コネクタ部は凸部を有し、雌型コネクタ部は、凸部と嵌合する凹部を有する。凸部及び凹部の各々には、複数の電極が配列されている。凸部と凹部とが嵌合したときに、凸部に配列されている複数の電極と、凹部に配列されている複数の電極とが電気的に接触する。
【先行技術文献】
【特許文献】
【０００３】
【特許文献１】特開２０１７−１８３０７４号公報
【発明の概要】
【発明が解決しようとする課題】
【０００４】
上述した複数の電極は、凸部と凹部との各々において、両部が嵌合する嵌合方向に延びる仮想嵌合軸まわりの周方向に絶縁されて配列されている。このように電極が配列されている場合、凸部と凹部とが嵌合しているときに、凸部の複数の電極と、凹部の複数の電極との電気的な接触を維持するために、凸部及び凹部の、仮想嵌合軸まわりの相対的な回転を阻止する手段が必要である。
【０００５】
特許文献１では、その手段を、雄型コネクタ部に設けられる位置決めキイと、雌型コネクタ部に設けられ、位置決めキイと嵌合する被位置決めキイとによって実現している。これら位置決めキイ及び被位置決めキイは、凸部及び凹部とは別途に、凸部及び凹部から離れた位置に配置されているため、スナップボタン型電気コネクタ対の小型化を困難化する要因となりうる。
【０００６】
本発明の目的は、小型に実現することが容易なスナップボタン型電気コネクタ対を提供することである。
【課題を解決するための手段】
【０００７】
上記目的を達成するために、本発明に係るスナップボタン型電気コネクタ対は、
第１スナップボタン型電気コネクタと、前記第１スナップボタン型電気コネクタと嵌合する第２スナップボタン型電気コネクタと、を備え、
前記第１スナップボタン型電気コネクタが、
前記第１スナップボタン型電気コネクタと前記第２スナップボタン型電気コネクタとが嵌合する嵌合方向に隆起した隆起部と、前記隆起部に形成され、前記嵌合方向と直交する方向に延在する係合部と、を有する絶縁性の第１ハウジングと、
前記嵌合方向に延びる仮想嵌合軸まわりの周方向に互いに絶縁された状態で、前記第１ハウジングに保持された導電性の複数の第１コンタクトと、を有し、
前記第２スナップボタン型電気コネクタが、
前記隆起部を前記嵌合方向に受け入れる受入部と、前記受入部に形成され、前記受入部に前記隆起部が受け入れられたときに、前記係合部に引っ掛かることにより、前記係合部との間の摩擦力よって、前記隆起部の前記受入部からの抜けを抑制する被係合部と、を有する絶縁性の第２ハウジングと、
前記周方向に互いに絶縁された状態で前記第２ハウジングに保持され、前記受入部に前記隆起部が受け入れられたときに、複数の前記第１コンタクトと電気的に接触する導電性の複数の第２コンタクトと、を有し、
前記隆起部と前記受入部の各々が、前記受入部に前記隆起部が受け入れられたときに、両部によって前記第１スナップボタン型電気コネクタと前記第２スナップボタン型電気コネクタとの前記周方向の相対的な回転が阻止される形状を有する。
【０００８】
前記隆起部と前記受入部との一方に、前記嵌合方向と直交する方向に突出して前記嵌合方向に延在する突条が形成され、他方には、前記嵌合方向に延在し、前記突条が前記嵌合方向にスライド可能に嵌る溝条が形成されており、
前記突条が前記溝条に嵌ることにより、前記第１スナップボタン型電気コネクタと前記第２スナップボタン型電気コネクタとの前記周方向の相対的な回転が阻止される、
構成としてもよい。
【０００９】
前記隆起部が、前記嵌合方向に平行な平面視で略多角形状の外形を有し、前記受入部が、前記隆起部と嵌合する形状を有することにより、前記第１スナップボタン型電気コネクタと前記第２スナップボタン型電気コネクタとの前記周方向の相対的な回転が阻止される、
構成としてもよい。
【００１０】
前記第１ハウジングと前記第２ハウジングとの各々が、前記嵌合方向に平行な平面視で、略多角形状の外形を有しており、
前記第１ハウジングの前記外形の角部と、前記第２ハウジングの前記外形の角部とが、前記周方向に揃っているときに、前記受入部への前記隆起部の受け入れが可能となる、
構成としてもよい。
【００１１】
複数の前記第１コンタクトが互いに等しい形状を有すると共に、複数の前記第２コンタクトが互いに等しい形状を有していてもよい。
【００１２】
複数の前記第１コンタクトの各々が、
前記第２コンタクトと電気的に接触する部分以外の部分において、前記第１ハウジングから露出し、前記第１スナップボタン型電気コネクタが取り付けられる第１被取付体に対して、導電性の線状材で縫い付けることができる形状を有する第１取付部を有し、
複数の前記第２コンタクトの各々が、
前記第１コンタクトと電気的に接触する部分以外の部分において、前記第２ハウジングから露出し、前記第２スナップボタン型電気コネクタが取り付けられる第２被取付体に対して、導電性の線状材で縫い付けることができる形状を有する第２取付部を有する、
構成としてもよい。
【発明の効果】
【００１３】
上記構成によれば、第１スナップボタン型電気コネクタと第２スナップボタン型電気コネクタとの周方向の相対的な回転が、係合部が形成された隆起部と、被係合部が形成された受入部とによって阻止される。従って、第１スナップボタン型電気コネクタと第２スナップボタン型電気コネクタとの周方向の相対的な回転を阻止するための部材を、隆起部及び受入部とは別途に設ける必要がない。このため、本発明のスナップボタン型電気コネクタ対は、小型に実現することが容易である。
【図面の簡単な説明】
【００１４】
【図１】実施形態１に係るスナップボタン型電気コネクタ対の斜視図。
【図２】実施形態１に係るスナップボタン型電気コネクタ対の、図１のＡＡ−ＡＡ線の位置における断面図。
【図３】実施形態１に係るスナップボタン型プラグコネクタの斜視図。
【図４】実施形態１に係るスナップボタン型プラグコネクタの平面図。
【図５】実施形態１に係るスナップボタン型プラグコネクタの製造プロセスを示す概念図。
【図６】実施形態１に係るスナップボタン型リセプタクルコネクタの斜視図。
【図７】実施形態１に係るスナップボタン型リセプタクルコネクタの平面図。
【図８】実施形態１に係るスナップボタン型リセプタクルコネクタの製造プロセスを示す概念図。
【図９】実施形態２に係るスナップボタン型プラグコネクタの斜視図。
【図１０】実施形態２に係るスナップボタン型プラグコネクタの平面図。
【図１１】実施形態２に係るスナップボタン型リセプタクルコネクタの斜視図。
【図１２】実施形態２に係るスナップボタン型リセプタクルコネクタの平面図。
【図１３】実施形態３に係るスナップボタン型プラグコネクタの斜視図。
【図１４】実施形態３に係るスナップボタン型プラグコネクタの平面図。
【図１５】実施形態３に係るスナップボタン型リセプタクルコネクタの斜視図。
【図１６】実施形態３に係るスナップボタン型リセプタクルコネクタの平面図。
【発明を実施するための形態】
【００１５】
以下、図面を参照し、本発明の実施形態１〜３に係るスナップボタン型電気コネクタ対について説明する。図中、同一又は対応する部分に同一の符号を付す。
【００１６】
［実施形態１］
図１に示すように、本実施形態に係るスナップボタン型電気コネクタ対３００は、第１スナップボタン型電気コネクタとしてのスナップボタン型プラグコネクタ１００と、これに嵌合する第２スナップボタン型電気コネクタとしてのスナップボタン型リセプタクルコネクタ２００とを備える。
【００１７】
図２に示すように、スナップボタン型プラグコネクタ１００は、第１被取付体としての導電性の布（以下、導電布という。）ＣＬに取り付けられる。導電布ＣＬは、ユーザに着用されるウエアにおいて、生体信号を検出するプローブを構成している。
【００１８】
一方、スナップボタン型リセプタクルコネクタ２００は、第２被取付体としての基板ＢＤに取り付けられる。基板ＢＤは、導電布ＣＬが構成するプローブによって検出された生体信号を電磁波に乗せて、スマートフォンやパーソナルコンピュータといった外部機器に出力するトランスミッタを構成している。
【００１９】
導電布ＣＬは、互いに絶縁された複数本の配線が導電性の繊維で形成された構造を有する。基板ＢＤも、互いに絶縁された複数本の配線がプリントされた構造を有する。具体的には、導電布ＣＬと基板ＢＤの各々は、３本の配線を備える。スナップボタン型電気コネクタ対３００は、導電布ＣＬが備える３本の配線の各々と、基板ＢＤが備える３本の配線の各々とを、電気的に接続する役割を果たす。
【００２０】
以下、スナップボタン型電気コネクタ対３００の構成について具体的に説明する。以下の説明を容易にするために、図１及び図２に示すように、スナップボタン型プラグコネクタ１００とスナップボタン型リセプタクルコネクタ２００とが嵌合する方向（以下、嵌合方向という。）に延びる仮想嵌合軸ＶＡを定義する。
【００２１】
まず、スナップボタン型プラグコネクタ１００の構成について説明する。
【００２２】
図２に示すように、スナップボタン型プラグコネクタ１００は、導電性のプラグコンタクト部１７０と、プラグコンタクト部１７０を保持する絶縁性の第１ハウジングとしてのプラグハウジング１６０とを有する。
【００２３】
図３に示すように、プラグハウジング１６０は、仮想嵌合軸ＶＡと直交する仮想平面上に延在する基部１４０と、基部１４０から嵌合方向に隆起した隆起部１３０とを有する。隆起部１３０は、仮想嵌合軸ＶＡを中心軸とする略円柱状の本体部１１０と、本体部１１０から仮想嵌合軸ＶＡと直交する半径方向外方に突出した突条部１２０とを有する。突条部１２０は、それぞれ嵌合方向に延びる複数、具体的には３つの突条１２１、１２２、及び１２３を含む。
【００２４】
図４に示すように、それら突条１２１〜１２３は、仮想嵌合軸ＶＡまわりの周方向（以下、単に周方向という。）に等間隔に配置されている。突条１２１〜１２３の各々は、仮想嵌合軸ＶＡに平行な平面視において、仮想嵌合軸ＶＡから遠ざかる半径方向外方に向かうに従って広がった形状、具体的には、略台形をなしている。
【００２５】
図３に示すように、プラグハウジング１６０は、隆起部１３０に形成された係合部１５０も有する。係合部１５０は、隆起部１３０の本体部１１０における外周面から仮想嵌合軸ＶＡに垂直な半径方向外方に突出し、かつ周方向に延在している。
【００２６】
図４に示すように、係合部１５０は、突条１２１と１２２との間、突条１２２と１２３との間、及び突条１２３と１２１との間、のそれぞれにおいて、周方向に延在している。なお、係合部１５０の本体部１１０の外周面からの突出高さは、突条１２１〜１２３の本体部１１０の外周面からの突出高さより低い。
【００２７】
図３に示すように、プラグコンタクト部１７０は、図２に示した導電布ＣＬが３本の配線を備えることに対応して、複数の第１コンタクトとしての、３つのプラグコンタクト１７１、１７２、及び１７３を含む。なお、図２には、プラグコンタクト１７１〜１７３のうちのプラグコンタクト１７１のみが現れている。
【００２８】
図４に示すように、プラグコンタクト１７１〜１７３の各々は、図１及び図２に示したスナップボタン型リセプタクルコネクタ２００と電気的に接触する対リセプタクルコンタクト接触部１７０ａと、図２に示した導電布ＣＬに取り付けられる第１取付部としての配線接続部１７０ｂとを有する。
【００２９】
プラグコンタクト１７１〜１７３の対リセプタクルコンタクト接触部１７０ａは、隆起部１３０の外面の位置に露出している。
【００３０】
具体的には、プラグコンタクト１７１の対リセプタクルコンタクト接触部１７０ａは、突条１２１の、仮想嵌合軸ＶＡと直交する半径方向に関して最も外方に位置する頂面の位置に露出している。同様に、プラグコンタクト１７２の対リセプタクルコンタクト接触部１７０ａは、突条１２２の頂面の位置に露出し、プラグコンタクト１７３の対リセプタクルコンタクト接触部１７０ａは、突条１２３の頂面の位置に露出している。
【００３１】
また、プラグコンタクト１７１〜１７３の配線接続部１７０ｂは、基部１４０から露出している。具体的には、仮想嵌合軸ＶＡに平行な平面視で、基部１４０の、隆起部１３０の外縁と、基部１４０の外縁との間の領域には、切り欠きが形成されていて、その切り欠きの部分に、配線接続部１７０ｂが露出している。なお、プラグコンタクト１７１〜１７３の各々において、配線接続部１７０ｂの周方向の位置は、対リセプタクルコンタクト接触部１７０ａの周方向の位置と揃っている。
【００３２】
配線接続部１７０ｂの各々は、スナップボタン型プラグコネクタ１００の取り付けに利用される。具体的には、図２に示すように、配線接続部１７０ｂは、導電性の線状材としての導電性の糸（以下、導電糸という。）ＣＴによって、導電布ＣＬに縫い付けられる。
【００３３】
また、図２に示す導電糸ＣＴは、スナップボタン型プラグコネクタ１００を導電布ＣＬに機械的に固定する役割のみならず、電気的に接続する役割も果たす。即ち、図４に示すプラグコンタクト１７１〜１７３は、各々の配線接続部１７０ｂにおいて、図２に示す導電糸ＣＴを通じて、導電布ＣＬが備える図示せぬ配線と電気的に接続される。
【００３４】
次に、以上説明した構成を有するスナップボタン型プラグコネクタ１００の製造方法について、図５を参照して説明する。
【００３５】
図５に示すように、まず、プラグコンタクト１７１〜１７３を準備する。プラグコンタクト１７１〜１７３は、金型によるプレスによって得られる。プラグコンタクト１７１〜１７３は、詳細には、１種類の金型によるプレスによって、一時に模られる。
【００３６】
プレス後、金型を取り外した段階では、プラグコンタクト１７１〜１７３が、ランナーとしての枠部材ＣＦに保持されている。プラグコンタクト１７１〜１７３は、仮想嵌合軸ＶＡと直交する共通の仮想平面上に延在する部分を有し、かつ互いに周方向に離間された状態で、枠部材ＣＦに保持されている。
【００３７】
次に、枠部材ＣＦに保持された状態のプラグコンタクト１７１〜１７３を、プラグハウジング１６０をインサート成形するための図示せぬ金型で、仮想嵌合軸ＶＡと平行な方向に挟み込み、その金型に、プラグハウジング１６０の材料である樹脂を注入する。これにより、プラグコンタクト１７１〜１７３が周方向に互いに絶縁された状態で、プラグハウジング１６０に保持された状態となる。
【００３８】
そして、樹脂が固化した後に金型を取り外し、プラグコンタクト１７１〜１７３を枠部材ＣＦから切り離すことにより、スナップボタン型プラグコネクタ１００が完成する。
【００３９】
次に、スナップボタン型リセプタクルコネクタ２００の構成について説明する。
【００４０】
図２に示すように、スナップボタン型リセプタクルコネクタ２００は、導電性のリセプタクルコンタクト部２７０と、リセプタクルコンタクト部２７０を保持する絶縁性の第２ハウジングとしてのリセプタクルハウジング２６０と、を有する。
【００４１】
図６に示すように、リセプタクルハウジング２６０は、仮想嵌合軸ＶＡと直交する仮想平面上に延在する基部２４０と、基部２４０から嵌合方向に土手状に立ち上がった受入部２３０とを有する。
【００４２】
受入部２３０は、仮想嵌合軸ＶＡを取り囲む略円筒状の本体部２１０と、本体部２１０の仮想嵌合軸ＶＡに面する内周面から、仮想嵌合軸ＶＡに近づくように半径方向内方に突出した突出部２２０とを有する。突出部２２０は、それぞれ嵌合方向に延びる複数、具体的には３つの突出壁２２１、２２２、及び２２３を含む。
【００４３】
図７に示すように、それら突出壁２２１〜２２３は、周方向に等間隔に配置されている。そして、突出壁２２１及び２２２と本体部２１０の内周面とによって溝条２３１が画定され、突出壁２２２及び２２３と本体部２１０の内周面とによって溝条２３２が画定され、突出壁２２３及び２２１と本体部２１０の内周面とによって溝条２３３が画定されている。
【００４４】
溝条２３１〜２３３の各々は、嵌合方向に延在している。溝条２３１には、図３及び図４に示した突条１２１がスライド可能に嵌る。溝条２３２には、図３及び図４に示した突条１２２がスライド可能に嵌る。溝条２３３には、図３及び図４に示した突条１２３がスライド可能に嵌る。
【００４５】
図６に示すように、リセプタクルハウジング２６０は、受入部２３０に形成された被係合部２５０も有する。被係合部２５０は、受入部２３０の突出壁２２１〜２２３における仮想嵌合軸ＶＡに面する内周面から仮想嵌合軸ＶＡに垂直な半径方向内方に突出し、かつ周方向に延在している。
【００４６】
図７に示すように、被係合部２５０は、突出壁２２１〜２２３の各々の内周面において、周方向に延在している。
【００４７】
図６に示すように、リセプタクルコンタクト部２７０は、図２に示した基板ＢＤが３本の配線を備えることに対応して、複数の第２コンタクトとしての、３つのリセプタクルコンタクト２７１、２７２、及び２７３を含む。なお、図２には、リセプタクルコンタクト２７１〜２７３のうちのリセプタクルコンタクト２７１のみが現れている。
【００４８】
図７に示すように、リセプタクルコンタクト２７１〜２７３の各々は、図１及び図２に示したスナップボタン型プラグコネクタ１００と電気的に接触する対プラグコンタクト接触部２７０ａと、図２に示した基板ＢＤに取り付けられる第２取付部としての配線接続部２７０ｂと、を有する。
【００４９】
リセプタクルコンタクト２７１〜２７３の対プラグコンタクト接触部２７０ａは、受入部２３０の内周面の位置に露出している。
【００５０】
具体的には、リセプタクルコンタクト２７１の対プラグコンタクト接触部２７０ａは、溝条２３１の、仮想嵌合軸ＶＡから最も遠い底面の位置に露出している。同様に、リセプタクルコンタクト２７２の対プラグコンタクト接触部２７０ａは、溝条２３２の底面の位置に露出し、リセプタクルコンタクト２７３の対プラグコンタクト接触部２７０ａは、溝条２３３の底面の位置に露出している。
【００５１】
また、リセプタクルコンタクト２７１〜２７３の配線接続部２７０ｂは、基部２４０から露出している。具体的には、仮想嵌合軸ＶＡに平行な平面視で、基部２４０の、受入部２３０の外縁と、基部２４０の外縁との間の領域には、切り欠きが形成されていて、その切り欠きの部分に、配線接続部２７０ｂが露出している。なお、リセプタクルコンタクト２７１〜２７３の各々において、配線接続部２７０ｂの周方向の位置は、対プラグコンタクト接触部２７０ａの周方向の位置と揃っている。
【００５２】
配線接続部２７０ｂの各々は、スナップボタン型リセプタクルコネクタ２００の取り付けに利用される。具体的には、図２に示すように、配線接続部２７０ｂは、はんだＳＬによって、基板ＢＤに固定される。各々の配線接続部２７０ｂは、はんだＳＬを通じて、基板ＢＤが備える図示せぬ配線と電気的に接続される。
【００５３】
次に、以上説明した構成を有するスナップボタン型リセプタクルコネクタ２００の製造方法について、図８を参照して説明する。
【００５４】
図８に示すように、まず、リセプタクルコンタクト２７１〜２７３を準備する。リセプタクルコンタクト２７１〜２７３は、金型によるプレスによって得られる。リセプタクルコンタクト２７１〜２７３は、詳細には、１種類の金型によるプレスによって、一時に模られる。
【００５５】
プレス後、金型を取り外した段階では、リセプタクルコンタクト２７１〜２７３が、ランナーとしての枠部材ＣＦに保持されている。リセプタクルコンタクト２７１〜２７３は、仮想嵌合軸ＶＡと直交する共通の仮想平面上に延在する部分を有し、かつ互いに周方向に離間された状態で、枠部材ＣＦに保持されている。
【００５６】
次に、枠部材ＣＦに保持された状態のリセプタクルコンタクト２７１〜２７３を、リセプタクルハウジング２６０をインサート成形するための図示せぬ金型で、仮想嵌合軸ＶＡと平行な方向に挟み込み、その金型に、リセプタクルハウジング２６０の材料である樹脂を注入する。これにより、リセプタクルコンタクト２７１〜２７３が周方向に互いに絶縁された状態で、リセプタクルハウジング２６０に保持された状態となる。
【００５７】
そして、樹脂が固化した後に金型を取り外し、リセプタクルコンタクト２７１〜２７３を枠部材ＣＦから切り離すことにより、スナップボタン型リセプタクルコネクタ２００が完成する。
【００５８】
以上説明したスナップボタン型電気コネクタ対３００においては、図１に示すスナップボタン型プラグコネクタ１００と、スナップボタン型リセプタクルコネクタ２００とが嵌合する際に、図６及び図７に示すリセプタクルハウジング２６０の受入部２３０が、図３及び図４に示すプラグハウジング１６０の隆起部１３０を嵌合方向に受け入れる。
【００５９】
その際、図３及び図４に示す突条１２１が、図７に示す溝条２３１に嵌り、図３及び図４に示す突条１２２が、図７に示す溝条２３２に嵌り、図３及び図４に示す突条１２３が、図７に示す溝条２３３に嵌る。
【００６０】
そして、その過程で、図３及び図４に示す突条１２１〜１２３の頂面に露出した対リセプタクルコンタクト接触部１７０ａと、図７に示す溝条２３１〜２３３の底面に露出した対プラグコンタクト接触部２７０ａとが、電気的に接触する。これにより、図２に示す導電布ＣＬが備える３本の配線の各々と、基板ＢＤが備える３本の配線の各々とが、電気的に接続される。
【００６１】
また、図２に示すように、受入部２３０に隆起部１３０が受け入れられて嵌合が完了したとき、被係合部２５０が、係合部１５０に引っ掛かることにより、係合部１５０との間の摩擦力よって、隆起部１３０の受入部２３０からの抜けが抑制される状態となる。このため、例えば、ユーザがランニング等の運動を行っても、導電布ＣＬに対する基板ＢＤの機械的及び電気的な接続が維持される。
【００６２】
なお、ウエアを洗濯する場合等には、ユーザが、スナップボタン型プラグコネクタ１００と、スナップボタン型リセプタクルコネクタ２００との嵌合を解除することで、トランスミッタをウエアから取り外すことができる。
【００６３】
以上説明したように、本実施形態によれば、スナップボタン型プラグコネクタ１００とスナップボタン型リセプタクルコネクタ２００とが嵌合する際に、隆起部１３０の突条１２１〜１２３が、受入部２３０の溝条２３１〜２３３に嵌る。これにより、スナップボタン型プラグコネクタ１００とスナップボタン型リセプタクルコネクタ２００との周方向の相対的な回転が阻止される。
【００６４】
具体的には、スナップボタン型プラグコネクタ１００とスナップボタン型リセプタクルコネクタ２００とに、それらを周方向に相対回転させようとする外力が作用した場合、図４に示す突条１２１が、図７に示す突出壁２２１又は２２２に当たり、図４に示す突条１２２が、図７に示す突出壁２２２又は２２３に当たり、図４に示す突条１２３が、図７に示す突出壁２２３又は２２１に当たる。
【００６５】
このように、スナップボタン型リセプタクルコネクタ２００からのスナップボタン型プラグコネクタ１００の抜けを抑制する隆起部１３０と受入部２３０とが、スナップボタン型プラグコネクタ１００とスナップボタン型リセプタクルコネクタ２００との周方向の相対的な回転を阻止する役割も果たす。
【００６６】
このため、その周方向の相対的な回転を阻止するための部材を、隆起部１３０及び受入部２３０とは別途に設ける必要がない。従って、本実施形態に係るスナップボタン型電気コネクタ対３００は、小型に実現することが容易である。
【００６７】
［実施形態２］
上記実施形態１では、隆起部１３０に突条１２１〜１２３を形成し、受入部２３０に溝条２３１〜２３３を形成したが、隆起部１３０に溝条２３１〜２３３を形成し、受入部２３０に突条１２１〜１２３を形成してもよい。以下、その具体例について述べる。
【００６８】
まず、図９及び図１０を参照し、スナップボタン型プラグコネクタ４００について説明する。
【００６９】
図９に示すように、スナップボタン型プラグコネクタ４００は、プラグコンタクト１７１〜１７３と、それらを保持するプラグハウジング４４０とを備える。プラグハウジング４４０が、基部４１０と、基部４１０から隆起した隆起部４２０とを有する点は、実施形態１と同様である。
【００７０】
本実施形態では、隆起部４２０が、仮想嵌合軸ＶＡを取り囲む略円筒状をなしている。隆起部４２０の、仮想嵌合軸ＶＡに面する内周面に、嵌合方向に延びる複数本、具体的には、３本の溝条４２１〜４２３が形成されている。
【００７１】
図１０に示すように、それら溝条４２１〜４２３は、周方向に等間隔に配置されている。溝条４２１〜４２３の各々は、仮想嵌合軸ＶＡに平行な平面視で、仮想嵌合軸ＶＡから遠ざかる半径方向外方に向かうに従って広がった形状、具体的には、略扇型をなす。
【００７２】
また、本実施形態では、プラグコンタクト１７１〜１７３の対リセプタクルコンタクト接触部１７０ａが、隆起部４２０の外周面の位置に露出している。対リセプタクルコンタクト接触部１７０ａの周方向の位置は、溝条４２１〜４２３の周方向の位置と揃っている。
【００７３】
また、本実施形態では、図９に示すように、係合部４３０が、隆起部４２０の外周面に形成されている。係合部４３０は、隆起部４２０の外周面から仮想嵌合軸ＶＡに垂直な半径方向外方に突出し、周方向に延在している。図１０に示すように、係合部４３０は、周方向に隣り合う対リセプタクルコンタクト接触部１７０ａの間において、周方向に延在している。
【００７４】
次に、図１１及び図１２を参照し、スナップボタン型リセプタクルコネクタ５００について説明する。
【００７５】
図１１に示すように、スナップボタン型リセプタクルコネクタ５００は、リセプタクルコンタクト２７１〜２７３と、それらを保持するリセプタクルハウジング５８０とを備える。リセプタクルハウジング５８０が、基部５６０と、基部５６０から嵌合方向に土手状に立ち上がった受入部５５０とを有する点は、実施形態１と同様である。
【００７６】
本実施形態では、受入部５５０が、仮想嵌合軸ＶＡ上に延在する中央部５３０と、中央部５３０を取り囲む略円筒状の囲繞部５４０とを有する。中央部５３０は、仮想嵌合軸ＶＡを中心軸とする略円柱状の本体部５１０と、本体部５１０の外周面から仮想嵌合軸ＶＡと直交する半径方向外方に突出し、嵌合方向に延びる複数本、具体的には３本の突条５２１〜５２３と、を有する。
【００７７】
図１２に示すように、それら突条５２１〜５２３は、周方向に等間隔に配置されている。突条５２１〜５２３の各々は、仮想嵌合軸ＶＡに平行な平面視で、仮想嵌合軸ＶＡから遠ざかる半径方向外方に向かうに従って広がった形状、具体的には、略扇型をなす。
【００７８】
また、本実施形態では、リセプタクルコンタクト２７１〜２７３の対プラグコンタクト接触部２７０ａが、略円筒状の囲繞部５４０の、中央部５１０に面する内周面の位置に露出している。対プラグコンタクト接触部２７０ａの周方向の位置は、突条５２１〜５２３の周方向の位置と揃っている。
【００７９】
また、本実施形態では、図１１に示すように、被係合部５７０が、囲繞部５４０の内周面に形成されている。被係合部５７０は、囲繞部５４０の内周面から仮想嵌合軸ＶＡに近づく半径方向内方に突出し、かつ周方向に延在している。図１２に示すように、被係合部５７０は、周方向に隣り合う対プラグコンタクト接触部２７０ａの間において、周方向に延在している。
【００８０】
本実施形態によれば、スナップボタン型プラグコネクタ４００とスナップボタン型リセプタクルコネクタ５００とが嵌合する際に、図９及び図１０に示す隆起部４２０が、図１１及び図１２に示す中央部５３０と囲繞部５４０との間の空隙に嵌る。
【００８１】
その際、図１１及び図１２に示す突条５２１が、図９及び図１０に示す溝条４２１に嵌り、図１１及び図１２に示す突条５２２が、図９及び図１０に示す溝条４２２に嵌り、図１１及び図１２に示す突条５２３が、図９及び図１０に示す溝条４２３に嵌る。これにより、スナップボタン型プラグコネク４００とスナップボタン型リセプタクルコネクタ５００との周方向の相対的な回転が阻止される。
【００８２】
このように、隆起部４２０と受入部５５０との形状によって、スナップボタン型プラグコネクタ４００とスナップボタン型リセプタクルコネクタ５００との周方向の相対的な回転が阻止さるので、この周方向の相対的な回転を阻止するための部材を、隆起部４２０及び受入部５５０とは別途に設ける必要がない。このため、本実施形態に係るスナップボタン型プラグコネクタ４００及びスナップボタン型リセプタクルコネクタ５００は、小型に実現することが容易である。
【００８３】
なお、図９及び図１０に示す対リセプタクルコンタクト接触部１７０ａと、図１１及び図１２に示す対プラグコンタクト接触部２７０ａとが電気的に接触し、図１１及び図１２に示す被係合部５７０が、図９及び図１０に示す係合部４３０に引っ掛かることで、隆起部４２０の受入部５５０からの抜けが抑制される点は、実施形態１と同様である。
【００８４】
［実施形態３］
上記実施形態１では、隆起部１３０、プラグハウジング１６０、及びリセプタクルハウジング２６０が、嵌合方向に平行な平面視で略円形の外形を有したが、これらの平面視での形状は特に限定されない。以下、隆起部１３０、プラグハウジング１６０、及びリセプタクルハウジング２６０の平面視での形状を多角形に変更した具体例について述べる。
【００８５】
まず、図１３及び図１４を参照し、スナップボタン型プラグコネクタ６００について説明する。
【００８６】
図１３に示すように、本実施形態では、スナップボタン型プラグコネクタ６００のプラグハウジング６６０が、仮想嵌合軸ＶＡに平行な平面視で略三角形をなす。プラグハウジング６６０が、基部６４０と、基部６４０から隆起した隆起部６３０とを有し、隆起部６３０が、本体部６１０と、本体部６１０に形成された３本の突条６２１〜６２３を有する点は、実施形態１と同様である。
【００８７】
図１４に示すように、本実施形態では、隆起部６３０の本体部６１０も、仮想嵌合軸ＶＡに平行な平面視で略三角形をなす。つまり、本体部６１０は略三角柱状をなしている。仮想嵌合軸ＶＡに平行な平面視で、本体部６１０の３つの角部の、仮想嵌合軸ＶＡまわりの周方向の位置は、プラグハウジング６６０の基部６４０の、３つの角部の周方向の位置と揃っている。
【００８８】
突条６２１〜６２３は、本体部６１０の３つの側面の各々に形成されている。突条６２１〜６２３の各々の幅は、本体部６１０の側面の幅より短い。また、プラグコンタクト１７１〜１７３の対リセプタクルコンタクト接触部１７０ａは、突条６２１〜６２３の各々の、本体部６１０の側面と平行な頂面の位置に露出している。
【００８９】
また、本実施形態では、図１３に示すように、係合部６５０が、本体部６１０の側面において嵌合方向と直交する方向に延在している。図１４に示すように、係合部６５０は、突条６２１と６２２の間、突条６２２と６２３の間、及び突条６２３と６２１の間において延在している。
【００９０】
次に、図１５及び図１６を参照し、スナップボタン型リセプタクルコネクタ７００について説明する。
【００９１】
図１５に示すように、本実施形態では、スナップボタン型リセプタクルコネクタ７００のリセプタクルハウジング７６０が、仮想嵌合軸ＶＡに平行な平面視で略三角形をなす。リセプタクルハウジング７６０が、基部７４０と、基部７４０から嵌合方向に土手状に立ち上がった受入部７３０とを有し、受入部７３０が、仮想嵌合軸ＶＡを取り囲む形状をなしている点は、実施形態１と同様である。
【００９２】
受入部７３０の仮想嵌合軸ＶＡに面する内面に、図１３及び図１４に示した突条６２１〜６２３が嵌る溝条７１１〜７１３が形成されている。溝条７１１〜７１３の各々の、底面の位置に、リセプタクルコンタクト２７１〜２７３の対プラグコンタクト接触部２７０ａが露出している。
【００９３】
また、受入部７３０の仮想嵌合軸ＶＡに面する内面には、図１３及び図１４に示した隆起部６３０の、略三角柱状をなす本体部６１０の３つの角部が嵌る角部嵌合用溝条７２１〜７２３も形成されている。
【００９４】
図１６に示すように、仮想嵌合軸ＶＡに平行な平面視で、それら３つの角部嵌合用溝条７２１〜７２３の、仮想嵌合軸ＶＡまわりの周方向の位置は、リセプタクルハウジング７６０の基部７４０の３つの角度の、周方向の位置と揃っている。
【００９５】
また、本実施形態では、図１５に示すように、被係合部７５０が、受入部７３０の仮想嵌合軸ＶＡに面する内面に形成されている。図１６に示すように、被係合部７５０は、角部嵌合用溝条７２１〜７２３の各々において延在している。
【００９６】
本実施形態によれば、スナップボタン型プラグコネクタ６００とスナップボタン型リセプタクルコネクタ７００とが嵌合する際に、図１３及び図１４に示す隆起部６３０が、図１５及び図１６に示す受入部７３０に嵌る。
【００９７】
その際、図１３及び図１４に示す突条６２１が、図１５及び図１６に示す溝条７１１に嵌り、図１３及び図１４に示す突条６２２が、図１５及び図１６に示す溝条７１２に嵌り、図１３及び図１４に示す突条６２３が、図１５及び図１６に示す溝条７１３に嵌る。
【００９８】
また、図１３及び図１４に示す隆起部６３０の本体部６１０の３つの角部が、図１５及び図１６に示す角部嵌合用溝条７２１〜７２３に嵌る。これにより、スナップボタン型プラグコネク６００とスナップボタン型リセプタクルコネクタ７００との周方向の相対的な回転が阻止される。
【００９９】
このように、隆起部６３０と受入部７３０との形状によって、スナップボタン型プラグコネクタ６００とスナップボタン型リセプタクルコネクタ７００との周方向の相対的な回転が阻止さるので、この周方向の相対的な回転を阻止するための部材を、隆起部６３０及び受入部７３０とは別途に設ける必要がない。このため、本実施形態に係るスナップボタン型プラグコネクタ６００及びスナップボタン型リセプタクルコネクタ７００は、小型に実現することが容易である。
【０１００】
また、本実施形態では、図１３及び図１４に示すプラグハウジング６６０と、図１５及び図１６に示すリセプタクルハウジング７６０との各々が、嵌合方向に平行な平面視で、略三角形状の外形を有している。また、図１４に示すように、隆起部６３０の３つの角部の周方向の位置が、プラグハウジング６６０の３つの角部の周方向の位置と揃っており、図１５に示すように、受入部７３０の角部嵌合用溝条７２１〜７２３の周方向の位置が、リセプタクルハウジング７６０の３つの角部の周方向の位置と揃っている。
【０１０１】
このため、プラグハウジング６６０の外形の角部と、リセプタクルハウジング７６０の外形の角部とが、周方向に揃っているときに、受入部７３０への隆起部６３０の受け入れが可能となる。従って、スナップボタン型プラグコネクタ６００と、スナップボタン型リセプタクルコネクタ７００とを嵌合させる際の、両部の周方向の位置決めが容易である。
【０１０２】
なお、図１３及び図１４に示す対リセプタクルコンタクト接触部１７０ａと、図１５及び図１６に示す対プラグコンタクト接触部２７０ａとが電気的に接触し、図１５及び図１６に示す被係合部７５０が、図１３及び図１４に示す係合部６５０に引っ掛かることで、隆起部６３０の受入部７３０からの抜けが抑制される点は、実施形態１と同様である。
【０１０３】
以上、本発明の実施形態について説明したが、本発明はこれに限られない。例えば、以下に述べる変形も可能である。
【０１０４】
上記実施形態３では、隆起部６３０に突条６２１〜６２３を形成し、受入部７３０に溝条７１１〜７１３を形成したが、隆起部６３０が嵌合方向に平行な平面視で略三角形状の外形を有し、受入部７３０が隆起部６３０と嵌合する形状を有するので、突条６２１〜６２３と溝条７１１〜７１３とが存在しなくても、スナップボタン型プラグコネクタ６００とスナップボタン型リセプタクルコネクタ７００との周方向の相対的な回転を阻止できる。
【０１０５】
また、隆起部６３０の平面視での形状は、略三角形に限られない。隆起部６３０の平面視での形状が、真円以外の形状、例えば、略楕円形状や略四角形等の略多角形状であれば、受入部７３０を隆起部６３０と嵌合する形状とすることにより、突条６２１〜６２３と溝条７１１〜７１３とが存在しなくても、スナップボタン型プラグコネクタ６００とスナップボタン型リセプタクルコネクタ７００との周方向の相対的な回転を阻止できる。
【０１０６】
上記実施形態１では、図２に示したように、スナップボタン型プラグコネクタ１００が導電布ＣＬに取り付けられ、スナップボタン型リセプタクルコネクタ２００が基板ＢＤに取り付けられる場合について述べたが、スナップボタン型プラグコネクタ１００及びスナップボタン型リセプタクルコネクタ２００を取り付ける取付け対象物は特に限定されない。スナップボタン型リセプタクルコネクタ２００の配線接続部２７０ｂを導電糸ＣＴによって導電布ＣＬに縫い付けることもできるし、スナップボタン型プラグコネクタ１００の配線接続部１７０ｂをはんだＳＬによって基板ＢＤに取り付けることもできる。
【０１０７】
上記実施形態では、スナップボタン型プラグコネクタ１００とスナップボタン型リセプタクルコネクタ２００との各々が備えるコンタクトの個数が３つであったが、２つであってもよいし、４つ以上であってもよい。コンタクトの個数は、スナップボタン型電気コネクタ対３００が導通させる配線の本数に応じて任意に設計できる。
【０１０８】
上記各実施形態は、本発明を説明するためのものであり、本発明の範囲を限定するものではない。本発明の範囲は、実施形態ではなく、請求の範囲によって示される。請求の範囲内及びそれと同等の発明の意義の範囲内で施される様々な変形が、本発明の範囲内とみなされる。
【符号の説明】
【０１０９】
１００…スナップボタン型プラグコネクタ（第１スナップボタン型電気コネクタ）、
１１０…本体部、
１２０…突条部、
１２１，１２２，１２３…突条、
１３０…隆起部、
１４０…基部、
１５０…係合部、
１６０…プラグハウジング（第１ハウジング）、
１７０…プラグコンタクト部、
１７１，１７２，１７３…プラグコンタクト（第１コンタクト）、
１７０ａ…対リセプタクルコンタクト接触部、
１７０ｂ…配線接続部（第１取付部）、
２００…スナップボタン型リセプタクルコネクタ（第２スナップボタン型電気コネクタ）、
２１０…本体部、
２２０…突出部、
２２１，２２２，２２３…突出壁、
２３０…受入部、
２３１，２３２，２３３…溝条、
２４０…基部、
２５０…被係合部、
２６０…リセプタクルハウジング（第２ハウジング）、
２７０…リセプタクルコンタクト部、
２７１，２７２，２７３…リセプタクルコンタクト（第２コンタクト）、
２７０ａ…対プラグコンタクト接触部、
２７０ｂ…配線接続部（第２取付部）、
３００…スナップボタン型電気コネクタ対、
４００…スナップボタン型プラグコネクタ（第１スナップボタン型電気コネクタ）、
４１０…基部、
４２０…隆起部、
４２１，４２２，４２３…溝条、
４３０…係合部、
４４０…プラグハウジング（第１ハウジング）、
５００…スナップボタン型リセプタクルコネクタ（第２スナップボタン型電気コネクタ）、
５１０…本体部、
５２１，５２２，５２３…突条、
５３０…中央部、
５４０…囲繞部、
５５０…受入部、
５６０…基部、
５７０…被係合部、
５８０…リセプタクルハウジング（第２ハウジング）、
６００…スナップボタン型プラグコネクタ（第１スナップボタン型電気コネクタ）、
６１０…本体部、
６２１，６２２，６２３…突条、
６３０…隆起部、
６４０…基部、
６５０…係合部、
６６０…プラグハウジング（第１ハウジング）、
７００…スナップボタン型リセプタクルコネクタ（第２スナップボタン型電気コネクタ）、
７１１，７１２，７１３…溝条、
７２１，７２２，７２３…角部嵌合用溝条、
７３０…受入部、
７４０…基部、
７５０…被係合部、
７６０…リセプタクルハウジング（第２ハウジング）、
ＣＬ…導電布（第１被取付体）、
ＢＤ…基板（第２被取付体）、
ＶＡ…仮想嵌合軸、
ＣＴ…導電糸（導電性の線状材）、
ＣＦ…枠部材、
ＳＬ…はんだ。
【図１】
2019121515.tif 000003
【図２】
2019121515.tif 000004
【図３】
2019121515.tif 000005
【図４】
2019121515.tif 000006
【図５】
2019121515.tif 000007
【図６】
2019121515.tif 000008
【図７】
2019121515.tif 000009
【図８】
2019121515.tif 000010
【図９】
2019121515.tif 000011
【図１０】
2019121515.tif 000012
【図１１】
2019121515.tif 000013
【図１２】
2019121515.tif 000014
【図１３】
2019121515.tif 000015
【図１４】
2019121515.tif 000016
【図１５】
2019121515.tif 000017
【図１６】
2019121515.tif 000018